(57)【要約】【課題】  ユーザの地図の購買意欲を損なうことなく、かつ使用権の有無をリアルタイムに確認することができる地図情報処理装置を提供する。【解決手段】  本発明は、分割された地図毎に、使用権の有無を管理し、使用権がある場合には、ユーザにより設定された方法で地図上にランドマークアイコンを表示し、使用権がない場合には、所定の方法でランドマークアイコンを表示する。或いは使用権がある場合には詳細な地図を表示し、使用権がない場合には簡略した地図を表示する。【選択図】      図５
2011069664.tif 000002
【特許請求の範囲】
【請求項１】
表示手段と、
位置を示す位置情報を検出する位置情報検出手段と、
分割された地図データと、前記分割された地図データに対応するランドマークアイコンを示すランドマークアイコンデータと、前記分割された地図データの位置範囲情報と、前記分割された地図データの使用権の有無を示す使用権情報とを互いに関連付けて記憶する記憶手段と、
前記位置情報検出手段によって検出された位置情報を含む前記記憶手段に記憶された位置範囲情報を決定し、この決定された位置範囲情報に関連付けられた分割された地図データを決定する決定手段と、
前記決定された地図データに基づいて前記表示手段に地図を表示させ、かつ前記決定された地図データに関連する使用権情報によって示される使用権の有無に応じて、前記決定された地図データに関連するランドマークアイコンデータに基づいて前記地図上にランドマークアイコンを異なるように表示させる手段と
を具備することを特徴とする地図情報処理装置。
【請求項２】
ランドマークアイコンの種別と、表示の可否を示すユーザ設定フラグとが関連付けて記憶されたユーザ設定情報データベースとをさらに具備し、
前記ランドマークアイコンの表示は、使用権がある場合に、前記ユーザ設定情報データベースのユーザ設定フラグが表示をすることを示しているランドマークアイコンのみを表示することを特徴とする請求項１記載の地図情報処理装置。
【請求項３】
前記位置情報検出手段によって検出された位置情報と、前記表示手段に表示されている地図の分割された地図データに関連付けられた位置範囲情報とに基づいて、前記表示手段に表示された地図の切り替えが必要であるか否かを判断する判断手段をさらに具備し、
前記地図及びランドマークアイコンは、前記判断手段によって切り替えが必要であると判断された場合に前記表示手段に表示させられことを特徴とする請求項１又は請求項２記載の地図情報処理装置。
【請求項４】
表示手段と、
位置を示す位置情報を検出する位置情報検出手段と、
分割された地図データと、前記分割された地図データに対応するランドマークアイコンを示すランドマークアイコンデータと、前記分割された地図データの位置範囲情報と、前記分割された地図データの使用権の有無を示す使用権情報とを互いに関連付けて記憶する記憶手段とを具備する地図情報処理装置における地図情報処理プログラムにおいて、
前記地図情報処理プログラムが、制御手段に、前記位置情報検出手段によって検出された位置情報を含む前記記憶手段に記憶された位置範囲情報を決定させ、この決定された位置範囲情報に関連付けられた分割された地図データを決定させ、
前記地図情報処理プログラムが、前記制御手段に、前記決定された地図データに基づいて前記表示手段に地図を表示させ、かつ前記決定された地図データに関連する使用権情報によって示される使用権の有無に応じて、前記決定された地図データに関連するランドマークアイコンデータに基づいて前記地図上にランドマークアイコンを異なるように表示させることを特徴とする地図情報処理プログラム。
【請求項５】
表示手段と、
位置を示す位置情報を検出する位置情報検出手段と、
分割された地図データと、前記分割された地図データに対応するランドマークアイコンを示すランドマークアイコンデータと、前記分割された地図データの位置範囲情報と、前記分割された地図データの使用権の有無を示す使用権情報とを互いに関連付けて記憶する記憶手段とを具備する地図情報処理装置における地図情報処理方法において、
前記位置情報検出手段によって検出された位置情報を含む前記記憶手段に記憶された位置範囲情報を決定し、この決定された位置範囲情報に関連付けられた分割された地図データを決定し、
前記決定された地図データに基づいて前記表示手段に地図を表示させ、かつ前記決定された地図データに関連する使用権情報によって示される使用権の有無に応じて、前記決定された地図データに関連するランドマークアイコンデータに基づいて前記地図上にランドマークアイコンを異なるように表示させることを特徴とする地図処理方法。
【請求項６】
表示手段と、
位置を示す位置情報を検出する位置情報検出手段と、
分割された第１の地図データと、前記第１の地図データとは異なる分割された第２の地図データと、前記分割された第１の地図データ及び第２の地図データの位置範囲情報と、前記分割された第１の地図データの使用権の有無を示す使用権情報とを関連付けて記憶する記憶手段と、
前記位置情報検出手段によって検出された位置情報を含む前記記憶手段に記憶された位置範囲情報を決定し、この決定された位置範囲情報に関連付けられた分割された第１の地図データ及び第２の地図データを決定する決定手段と、
前記位置情報検出手段によって検出された位置情報に関連付けられた使用権情報が第１の地図データの使用権を有しているか否かを判断する判断手段と、
前記判断手段によって使用権を有していると判断された場合には、前記決定された第１の地図データに基づいて前記表示手段に地図を表示させ、前記判断手段によって使用権を有していないと判断された場合には、前記決定された第２の地図データに基づいて前記表示手段に地図を表示させる手段と
を具備することを特徴とする地図情報処理装置。
【請求項７】
前記位置情報検出手段によって検出された位置情報と、前記表示手段に表示されている地図の分割された地図データに関連付けられた位置範囲情報とに基づいて、前記表示手段に表示された地図の切り替えが必要であるか否かを判断する判断手段をさらに具備し、
前記第１の地図又は第２の地図は、前記判断手段によって切り替えが必要であると判断された場合に、前記表示手段に表示させられることを特徴とする請求項６記載の地図情報処理装置。
【請求項８】
前記第１の地図データの詳細度は、前記第２の地図データの詳細度よりも高いことを特徴とする請求項６又は請求項７記載の地図情報処理装置。
【請求項９】
表示手段と、
位置を示す位置情報を検出する位置情報検出手段と、
分割された第１の地図データと、前記第１の地図データとは異なる分割された第２の地図データと、前記分割された第１の地図データ及び第２の地図データの位置範囲情報と、前記分割された第１の地図データの使用権の有無を示す使用権情報とを関連付けて記憶する記憶手段とを具備する地図情報処理装置における地図情報処理プログラムにおいて、
前記地図情報処理プログラムが、制御手段に、前記位置情報検出手段によって検出された位置情報を含む前記記憶手段に記憶された位置範囲情報を決定させ、この決定された位置範囲情報に関連付けられた分割された第１の地図データ及び第２の地図データを決定させ、
前記地図情報処理プログラムが、前記制御手段に、前記位置情報検出手段によって検出された位置情報に関連付けられた使用権情報が第１の地図データの使用権を有しているか否かを判断させ、
前記地図情報処理プログラムが、前記制御手段に、前記使用権を有していると判断された場合には、前記決定された第１の地図データに基づいて前記表示手段に地図を表示させ、前記判断手段によって使用権を有していないと判断された場合には、前記決定された第２の地図データに基づいて前記表示手段に地図を表示させることを特徴とする地図情報処理プログラム。
【請求項１０】
表示手段と、
位置を示す位置情報を検出する位置情報検出手段と、
分割された第１の地図データと、前記第１の地図データとは異なる分割された第２の地図データと、前記分割された第１の地図データ及び第２の地図データの位置範囲情報と、前記分割された第１の地図データの使用権の有無を示す使用権情報とを関連付けて記憶する記憶手段とを具備する地図情報処理装置における地図情報処理方法において、
前記位置情報検出手段によって検出された位置情報を含む前記記憶手段に記憶された位置範囲情報を決定し、この決定された位置範囲情報に関連付けられた分割された第１の地図データ及び第２の地図データを決定し、
前記位置情報検出手段によって検出された位置情報に関連付けられた使用権情報が第１の地図データの使用権を有しているか否かを判断し、
前記使用権を有していると判断された場合には、前記決定された第１の地図データに基づいて前記表示手段に地図を表示させ、前記判断手段によって使用権を有していないと判断された場合には、前記決定された第２の地図データに基づいて前記表示手段に地図を表示させることを特徴とする地図情報処理方法。
【発明の詳細な説明】
【技術分野】
【０００１】
本発明は、地図情報処理装置に関し、特に、カーナビゲーションシステムに搭載される地図情報処理装置に関する。
【背景技術】
【０００２】
従来より、カーナビゲーションシステムに搭載される地図情報処理装置では、地図の分割販売を行ない、この分割された地図の使用権をユーザが購入することにより、当該分割された地図を使用することができるシステムが存在する。
【０００３】
通常、ユーザが使用する地図の範囲は限られるので、ユーザが使用する範囲の地図の使用権を購入すれば良いが、例えば、ユーザが遠出をする場合など、普段使用しない地図が必要な場合がある。
【０００４】
このような場合、遠出をした場所の通信状況から通信により地図を取得できない場合があることから、記憶装置に記憶されている該当地図の暫定使用期間を認め、暫定使用期間経過後に当該地図の使用権を取得しない場合には、カーナビゲーションシステムの利用を禁止するなどの制裁を行なう技術が開発されている（特許文献１参照）。
【先行技術文献】
【特許文献】
【０００５】
【特許文献１】特開２００２−２４３４５７号公報
【発明の概要】
【発明が解決しようとする課題】
【０００６】
しかしながら、上述の技術では、カーナビゲーションシステム自体の使用を制限するものであるため、ユーザにとって酷であり、システムの不信感などを招き、却って、地図の購買意欲を削いでしまうという面もある。
【０００７】
また、使用権の有無はダイアログで特定のタイミングに表示されるため、ユーザがリアルタイムに現在使用している地図の使用権を持っているか否かを知ることができず、また、使用権の確認のためのダイアログ表示に対する逐次操作の必要性からユーザにとって煩わしい。
【０００８】
本発明は、上記実情に鑑みてなされたものであり、使用権の有無に応じて地図の表示方法を変更することにより、ユーザの地図の購買意欲を損なうことなく、かつ使用権の有無をリアルタイムに確認することができる地図情報処理装置を提供することを目的とする。
【課題を解決するための手段】
【０００９】
従って、上記目的を達成するために、本発明の第１の発明は、表示手段と、位置を示す位置情報を検出する位置情報検出手段と、分割された地図データと、前記分割された地図データに対応するランドマークアイコンを示すランドマークアイコンデータと、前記分割された地図データの位置範囲情報と、前記分割された地図データの使用権の有無を示す使用権情報とを互いに関連付けて記憶する記憶手段と、前記位置情報検出手段によって検出された位置情報を含む前記記憶手段に記憶された位置範囲情報を決定し、この決定された位置範囲情報に関連付けられた分割された地図データを決定する決定手段と、前記決定された地図データに基づいて前記表示手段に地図を表示させ、かつ前記決定された地図データに関連する使用権情報によって示される使用権の有無に応じて、前記決定された地図データに関連するランドマークアイコンデータに基づいて前記地図上にランドマークアイコンを異なるように表示させる手段とを具備することを特徴とする地図情報処理装置、である。
【００１０】
また、本発明の第２の発明によれば、第１の発明において、ランドマークアイコンの種別と、表示の可否を示すユーザ設定フラグとが関連付けて記憶されたユーザ設定情報データベースとをさらに具備し、前記ランドマークアイコンの表示は、使用権がある場合に、前記ユーザ設定情報データベースのユーザ設定フラグが表示をすることを示しているランドマークアイコンのみを表示することを特徴とする地図情報処理装置、である。
【００１１】
さらに、本発明の第３の発明によれば、第１の発明及び第２の発明において、前記位置情報検出手段によって検出された位置情報と、前記表示手段に表示されている地図の分割された地図データに関連付けられた位置範囲情報とに基づいて、前記表示手段に表示された地図の切り替えが必要であるか否かを判断する判断手段をさらに具備し、前記地図及びランドマークアイコンは、前記判断手段によって切り替えが必要であると判断された場合に前記表示手段に表示させられることを特徴とする地図情報処理装置、である。
【００１２】
さらに、本発明の第４の発明によれば、表示手段と、位置を示す位置情報を検出する位置情報検出手段と、分割された第１の地図データと、前記第１の地図データとは異なる分割された第２の地図データと、前記分割された第１の地図データ及び第２の地図データの位置範囲情報と、前記分割された第１の地図データの使用権の有無を示す使用権情報とを関連付けて記憶する記憶手段と、前記位置情報検出手段によって検出された位置情報を含む前記記憶手段に記憶された位置範囲情報を決定し、この決定された位置範囲情報に関連付けられた分割された第１の地図データ及び第２の地図データを決定する決定手段と、前記位置情報検出手段によって検出された位置情報に関連付けられた使用権情報が第１の地図データの使用権を有しているか否かを判断する判断手段と、前記判断手段によって使用権を有していると判断された場合には、前記決定された第１の地図データに基づいて前記表示手段に地図を表示させ、前記判断手段によって使用権を有していないと判断された場合には、前記決定された第２の地図データに基づいて前記表示手段に地図を表示させる手段とを具備することを特徴とする地図情報処理装置、である。
【図面の簡単な説明】
【００１３】
【図１】図１は、本発明の第１の実施の形態に係るカーナビゲーション装置を示す図である。
【図２】同第１の実施の形態に係るカーナビゲーション装置の外部記憶装置を示す図である。
【図３】同第１の実施の形態に係るカーナビゲーション装置の地図情報データベースを示す図である。
【図４】同第１の実施の形態に係るカーナビゲーション装置のユーザ設定情報データベースを示す図である。
【図５】同第１の実施の形態に係るカーナビゲーション装置の地図表示の動作を説明するためのフローチャートである。
【図６】同第１の実施の形態に係るカーナビゲーション装置の地図の購入動作を説明するためのフローチャートである。
【図７】同第１の実施の形態に係るカーナビゲーション装置のユーザ設定情報データベースのユーザ設定フラグの設定方法を説明するためのフローチャートである。
【図８】同第１の実施の形態に係るカーナビゲーション装置の分割された地図データの使用権を有する場合のランドマーク表示を示す図である。
【図９】同第１の実施の形態に係るカーナビゲーション装置の分割された地図データの使用権を有しない場合のランドマーク表示を示す図である。
【図１０】本発明の第２の実施の形態に係るカーナビゲーション装置の地図情報データベースを示す図である。
【図１１】同第２の実施の形態に係るカーナビゲーション装置の地図表示の動作を説明するためのフローチャートである。
【図１２】同第２の実施の形態に係るカーナビゲーション装置の使用権を有する場合の地図表示を示す図である。
【図１３】同第２の実施の形態に係るカーナビゲーション装置の使用権を有しない場合の地図表示を示す図である。
【発明を実施するための形態】
【００１４】
以下、図面を参照して、本発明の実施の形態に係る地図情報処理装置の一実施形態に係るカーナビゲーション装置について説明する。
【００１５】
＜第１の実施の形態＞
図１は、本発明の第１の実施の形態に係るカーナビゲーション装置を示す図である。
【００１６】
同図において、カーナビゲーション装置１は、無線を介して情報センター２に接続され、情報センター２はネットワークを介して決済システム３に接続される。
【００１７】
情報センター２は、分割された地図データ、当該分割された地図データの使用権などの管理を行なう。決済システム３は、分割された地図データの購入決済処理を行なうものである。
【００１８】
本実施の形態では、カーナビゲーション装置１からみて情報センター２がフロントシステムとなり、決済システム３はバックエンドシステムとなるが、カーナビゲーション装置１が、情報センター２及び決済システム３双方と通信を行なっても良い。ここでは、情報センター２及び決済システム３における処理は、本願発明の主題とは離れることから詳述しない。
【００１９】
カーナビゲーション装置１は、制御部（ＣＰＵ）１１、位置情報検出器１２、メモリ１３、入力部１４、通信装置１５、表示装置１６及び外部記憶装置１７を具備している。
【００２０】
制御部（ＣＰＵ）１１は、本発明の実施の形態に係るカーナビゲーション装置１全体の処理を司るものであり、外部記憶装置１７に格納された地図情報処理プログラム２３と協働して、本発明の実施の形態に係る地図情報処理を行なう。
【００２１】
位置情報検出器１２は、ＧＰＳ機能を利用して現在の位置を示す位置情報を検出して制御部１１に供給する。
【００２２】
メモリ１３は、地図情報処理プログラム２３を実行する際に必要とされるワークエリアなどとして使用される。
【００２３】
入力部１４は、地図情報処理に必要とされる設定を入力するためのインターフェイスであり、例えば、キーボード、タッチパネルの他、リモコン１８からの無線入力インターフェイスなども含まれる。
【００２４】
通信装置１５は、無線ネットワークなどを介して情報センター２と通信を行なうためのものである。
【００２５】
表示装置１６は、本発明の実施の形態に係る地図情報処理によって生成された地図を表示するためのディスプレイであって、例えば、液晶ディスプレイである。
【００２６】
外部記憶装置１７は、地図情報処理に必要とされるプログラム、データを格納するためのものであり、例えば、ハードディスクドライブ（ＨＤＤ）、光ディスクドライブ、ＤＶＤ、ＭＯなどの大容量記憶装置である。この外部記憶装置１７には、図２に示すように、ＯＳ（オペレーティングシステム）２０、ユーザ設定情報データベース２１、地図情報データベース２２及び地図情報処理プログラム２３が格納されている。
【００２７】
地図情報処理プログラム２３は、ＯＳ２０上で動作するアプリケーションプログラムであって、制御部１１と協働して、本発明の実施の形態に係る地図情報処理を実現し、図５乃至図７に示すフローチャートの処理を実現するものである。
【００２８】
地図情報データベース２２は、図３に示すように、分割された地図データ３１と、分割された地図データに対応するランドマークアイコンを示すランドマークアイコンデータ３２と、分割された地図データの位置範囲情報３３と、分割された地図データの使用権の有無を示す使用権情報３４とが互いに関連付けて記憶されている。
【００２９】
ユーザ設定情報データベース２１は、図４に示すように、ランドマークアイコンの種別（ガソリンスタンド、コンビニエンスストア、レストランなど）と、表示の可否を示すユーザ設定フラグとが関連付けて記憶されている。
【００３０】
以下、図５乃至図７のフローチャートを参照して、本発明の第１の実施の形態に係るカーナビゲーション装置の動作について説明する。
【００３１】
制御部１１は、位置情報検出器１２から検出された現在の位置を示す位置情報を取得する（Ｓ１）。制御部１１は、取得した位置情報と、外部記憶装置１７の地図情報データベース２２に記憶された表示装置１６に表示されている地図の分割された地図データに関連付けられた位置範囲情報３３とに基づいて、表示されている地図の切り替えが必要か否かを判断する（Ｓ２）。
【００３２】
具体的には、外部記憶装置１７の地図情報データベース２２に記憶された表示装置１６に表示されている地図の分割された地図データに関連付けられた位置範囲情報３３を参照し、この位置範囲情報３３によって示される位置範囲に取得した位置情報が含まれるかを判断し、含まれない場合には、地図の切り替えが必要であると判断し、含まれない場合には地図の切り替えが必要ではないと判断される。
【００３３】
Ｓ２において地図の切り替えが必要ではないと判断された場合には処理を終了する。一方、Ｓ２において地図の切り替えが必要であると判断された場合には、次に、表示する地図データを決定する（Ｓ３）。
【００３４】
具体的には、地図情報データベース２２を検索して取得した現在の位置情報を含む位置範囲情報３３を決定し、この決定された位置範囲情報３３に関連付けられた分割された地図データ３１を決定する。
【００３５】
次に、Ｓ３において決定された分割された地図データ３１に関連付けられた使用権情報３４を検索し、使用権があるか否かの判断が行われる（Ｓ４）。使用権情報３４によって使用権があることが示されている場合には、ユーザ設定情報データベース２１を参照して、ユーザ設定フラグにより表示することが示されているランドマークアイコンのみを決定された地図データによって示される地図上に表示して（Ｓ５）、処理を終了する。
【００３６】
一方、使用権情報３４によって使用権がないことが示されている場合には、所定のランドマークアイコンのみを決定された地図データによって示される地図上に表示して（Ｓ６）、処理を終了する。
【００３７】
図８は、分割された地図データの使用権を有する場合のランドマーク表示を示す図である。同図においては、コンビニエンスストアのランドマークのみを表示する場合、ガソリンスタンドのランドマークのみを表示する場合、コンビニエンスストア、ガソリンスタンド及びレストランのランドマークを表示する場合の３パターンを示しているが、これに限られるものではない。上述のように、どのようにランドマークアイコンを表示するかは、図４に示すように、ユーザ設定情報データベース２１にユーザにより設定されるユーザ設定フラグにより定められる。
【００３８】
図９は、分割された地図データの使用権を有しない場合のランドマーク表示を示す図である。本実施の形態では、使用権を有しない場合には、ガソリンスタンドのランドマークアイコンのみしか使用されないものとする。なお、カーナビゲーションシステム提供者のスポンサーが所有する施設のアイコンのみ使用するものとしてもよい。
【００３９】
図６は、本発明の第１の実施の形態に係るカーナビゲーション装置の分割された地図の購入動作を説明するためのフローチャートである。
【００４０】
まず、ユーザから分割された地図の購入要望があるか否かの判断が行われる（Ｓ１１）。購入要望がある場合には、当該分割された地図の決済及び購入処理が、通信装置１５を介して情報センター２及び決済システム３に対して行われる（Ｓ１２）。なお、これら決済及び購入処理は公知の技術を利用し、ここでは詳細な説明は省略する。
【００４１】
次に、Ｓ１２における決済及び購入処理が成功したか否かが判断され（Ｓ１３）、成功しないと判断された場合には、処理を終了する。一方、成功したと判断された場合には、地図情報データベース２１の対応する分割された地図データ３１に関連付けて使用権があることを示す使用権情報３４を書き込み（Ｓ１４）、処理を終了する。
【００４２】
図７は、本発明の第１の実施の形態に係るカーナビゲーション装置のユーザ設定情報データベースのユーザ設定フラグの設定方法を説明するためのフローチャートである。
【００４３】
まず、ユーザからアイコン設定要求を受け付けたか否かの判断が行われる（Ｓ２１）。Ｓ２１において、アイコン設定要求を受け付けていないと判断された場合には、処理を終了する。
【００４４】
一方、アイコン設定要求を受け付けたと判断された場合には、ユーザからのアイコンの種別毎の表示の可否を受け付け（Ｓ２２）、図４に示すように、アイコンの種別毎に、アイコンの表示可否を示すユーザ設定フラグをユーザ設定情報データベース２１に設定し（Ｓ２３）、処理を終了する。
【００４５】
なお、本実施の形態においては、ランドマークの種別毎にユーザ設定可能である場合について説明したがこれに限られるものではない。例えば、地図データに含まれる道路の種別（１級国道、２級国道など）毎に設定し、使用権の有無に応じて表示される地図を変えても良い。
【００４６】
したがって、本実施の形態によれば、使用権の有無に応じてランドマークの表示方法を変えるのみで、地図自体を使用することをできなくするものではないので、ユーザの地図の購買意欲を損なうことがない。
【００４７】
また、使用権の有無により、ランドマークアイコンの表示方法を変更することにより、ユーザが使用権の有無をリアルタイムに把握することができる。
【００４８】
さらに、使用権を有している場合には、ユーザがランドマークアイコンの種別に応じて表示されるランドマークアイコンを設定することができるので、目的地を容易に探索することができるのみならず、地図の購買意欲を向上させることができる。一方、使用権を有していない場合には、ランドマークアイコンの表示を変更することができず、所定のランドマークアイコンのみが表示されるだけであるので、ユーザにとっては使用権を有している場合に比して、経路検索が不便となる。
【００４９】
＜第２の実施の形態＞
上述の第１の実施の形態においては、ランドマークアイコンの表示方法を使用権の有無にしたがって変更する場合について説明したが、本実施の形態においては、第１の実施の形態に加えて、使用権の有無に応じた２種類の地図データを持つ場合について説明する。
【００５０】
なお、カーナビゲーション装置１の構成は図１と同じであり、同一部分には同一符号を付し、ここでは異なる部分についてのみ説明する。
【００５１】
図１０は、本発明の第２の実施の形態に係るカーナビゲーション装置の地図情報データベースを示す図である。
【００５２】
地図情報データベース２２は、図１０に示すように、分割された第１の地図データ４１と、第１の地図データとは異なる分割された第２の地図データ４２と、分割された第１の地図データ４１及び第２の地図データ４２の位置範囲情報４３と、分割された第１の地図データ４１の使用権の有無を示す使用権情報４５とが関連付けて記憶される。
【００５３】
ここで、第１の地図データは、使用権を持つ場合の地図データであり、第２の地図データは使用権を持たない場合の地図データであり、第１の地図データの詳細度は第２の地図データの詳細度よりも高い。図１２は、使用権を有する場合の第１の地図データによって示される地図を示し、図１３は、使用権を有しない場合の第２の地図データによって示される地図を示す。
【００５４】
以下、図１１のフローチャートを参照して、本発明の第２の実施の形態に係るカーナビゲーション装置の動作について説明する。
【００５５】
制御部１１は、位置情報検出器１２から検出された現在の位置を示す位置情報を取得する（Ｓ３１）。制御部１１は、取得した位置情報と、外部記憶装置１７の地図情報データベース２２に記憶された表示装置１６に表示されている地図の分割された第１の地図データ及び第２の地図データに関連付けられた位置範囲情報４４とに基づいて、表示されている地図の切り替えが必要か否かを判断する（Ｓ３２）。
【００５６】
具体的には、外部記憶装置１７の地図情報データベース２２に記憶された表示装置１６に表示されている地図の分割された第１の地図データ又は第２の地図データに関連付けられた位置範囲情報４４を参照し、この位置範囲情報４４によって示される位置範囲に取得した位置情報が含まれるかを判断し、含まれない場合には、地図の切り替えが必要であると判断し、含まれない場合には地図の切り替えが必要ではないと判断される。
【００５７】
Ｓ３２において地図の切り替えが必要ではないと判断された場合には処理を終了する。一方、Ｓ３２において地図の切り替えが必要であると判断された場合には、次に、表示する第１の地図データ及び第２の地図データを決定する（Ｓ３３）。
【００５８】
具体的には、地図情報データベース２２を検索して取得した現在の位置情報を含む位置範囲情報４４を決定し、この決定された位置範囲情報４４に関連付けられた分割された第１の地図データ４１及び第２の地図データ４２を決定する。
【００５９】
次に、Ｓ３３において決定された分割された第１の地図データ４１及び第２の地図データ４２に関連付けられた使用権情報４５を検索し、使用権があるか否かの判断が行われる（Ｓ３４）。使用権情報４５によって使用権があることが示されている場合には、ユーザ設定情報データベース２１を参照して、ユーザ設定フラグにより表示することが示されているランドマークアイコンのみを決定された第１の地図データによって示される地図上に表示して（Ｓ３５）、処理を終了する。
【００６０】
一方、使用権情報３４によって使用権がないことが示されている場合には、所定のランドマークアイコンのみを決定された第２の地図データによって示される地図上に表示して（Ｓ３６）、処理を終了する。
【００６１】
したがって、本実施の形態によれば、使用権を有する場合に表示される地図データと、使用権を有しない場合に表示される地図データを用意し、使用権の有無に応じて表示される地図を変えるのみで、地図自体を使用できなくするのではないので、ユーザの地図の購買意欲を損なうことがない。
【００６２】
また、使用権の有無により、地図の表示方法を変更することにより、ユーザが使用権の有無をリアルタイムに把握することができる。
【００６３】
さらに、使用権を有している場合には、詳細な地図が表示されるので、目的地を容易に探索することができるのみならず、地図の購買意欲を向上させることができる。一方、使用権を有していない場合には、詳細な地図を表示することができず、簡易な地図が表示されるのみなので、ユーザにとっては使用権を有している場合に比して、経路検索が不便となる。
【００６４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００６５】
また、実施形態に記載した手法は、計算機（コンピュータ）に実行させることができるプログラム（ソフトウエア手段）として、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。
【符号の説明】
【００６６】
１…カーナビゲーション装置、２…情報センター、３…決済システム、１１…制御部、１２…位置検出器、１３…メモリ、１４…入力部、１５…通信装置、１６…表示装置、１７…外部記憶装置、２０…ＯＳ、２１…ユーザ設定情報データベース、２２…地図情報データベース、２３…地図情報処理プログラム。
【図１】
2011069664.tif 000003
【図２】
2011069664.tif 000004
【図３】
2011069664.tif 000005
【図４】
2011069664.tif 000006
【図５】
2011069664.tif 000007
【図６】
2011069664.tif 000008
【図７】
2011069664.tif 000009
【図８】
2011069664.tif 000010
【図９】
2011069664.tif 000011
【図１０】
2011069664.tif 000012
【図１１】
2011069664.tif 000013
【図１２】
2011069664.tif 000014
【図１３】
2011069664.tif 000015